(57)【特許請求の範囲】
【請求項１】
遊技媒体を使用して遊技を行う遊技機に対応して設けられ、遊技者が遊技により獲得した獲得遊技媒体の大きさを、遊技者からの要求に応じて遊技に再使用可能に遊技者へ払出す遊技用装置であって、
上流側に設けられた供給通路から供給される遊技媒体を、下流側に設けられた払出し通路に払出し出来る駆動モータを用いた遊技媒体払出し手段と、
前記遊技媒体払出し手段による遊技媒体の払出しを遊技者側から実行出来るように設けられる払出し操作手段と、
前記遊技媒体払出し手段より払出される遊技媒体を計数する遊技媒体計数手段と、
前記遊技媒体払出し手段よりも下流側の前記払出し通路所定箇所に設けられ、前記遊技媒体払出し手段より払出される遊技媒体の移動状況を検出する移動検出手段と、
前記払出し操作手段の操作があるか否かを該操作があるまで繰り返し判定する入力待ち処理と、該入力待ち処理により前記払出し操作手段の操作があると判定されたことに基づいて実行される処理であり前記遊技媒体払出し手段により遊技媒体を払出させる払出し処理と、獲得遊技媒体の大きさから前記遊技媒体計数手段により計数された遊技媒体の大きさを減算する減算処理と、を実行する制御手段と、を具備し、
前記制御手段は、前記払出し処理を開始した場合は、所定数の遊技媒体が払出されるまで当該払出し処理を実行し、所定数の遊技媒体が払出されると当該払出し処理を終了して前記入力待ち処理に復帰するとともに、
前記払出し処理の実行中において、前記移動検出手段から出力される検出信号に所定時間変化が生じないと判断した場合、前記払出し処理において前記所定数の遊技媒体が払出されたか否かに関わらず当該払出し処理を終了して前記入力待ち処理に復帰することを特徴とする遊技用装置。
【請求項２】
前記遊技用装置は、獲得遊技媒体もしくは払出された遊技媒体の大きさを表示可能な表示手段を具備してなる請求項１に記載の遊技用装置。
【請求項３】
前記所定時間の長さは、前記移動検出手段の位置に前記遊技媒体が停滞した場合、前記遊技媒体払い出し手段による前記遊技媒体の払出しが継続した際に前記遊技媒体が前記遊技媒体払出し手段に達するまでの時間よりも短い請求項１または２に記載の遊技用装置。
【請求項４】
前記遊技媒体計数手段が、前記遊技媒体払出し手段の下流側近傍に設けられている請求項１ないし３のいずれかに記載の遊技用装置。
【請求項５】
前記遊技媒体払出し手段を構成する駆動モータに、この駆動モータの駆動動作を検出する駆動動作検出手段が設けられており、前記制御手段は、該駆動動作検出手段から出力される検出信号に異常が生じた場合、前記駆動モータの駆動を停止するようになっている請求項１ないし４のいずれかに記載の遊技用装置。
【請求項６】
前記払出し通路における所定箇所が、湾曲状に形成されてなる請求項１ないし５のいずれかに記載の遊技用装置。
【発明の詳細な説明】
【０００１】
【発明の属する技術分野】
本発明は、遊技媒体を使用して遊技を行う遊技機に対応して設けられ、遊技者が獲得した獲得遊技媒体の大きさを、遊技者からの要求に応じて遊技に再使用可能に遊技者へ払出しする遊技用装置に関する。
【０００２】
【従来の技術】
従来、遊技機としてのパチンコ機により遊技を行う場合において、遊技者に払い出された賞球を計数器により計数することにより獲得した獲得遊技媒体を、景品等に交換する前に、遊技者の必要に応じて所定量のパチンコ玉として払出しすることで、再遊技を可能とする場合がある。
【０００３】
このような再遊技を可能とする場合、例えば図１６に示されるように、遊技機を列設する遊技島台内に設けられる供給樋（図示略）から連続的に供給されるパチンコ玉を、遊技機の上皿（図示略）等にノズルを介して連通する払出し通路に所定量ずつ払出しすることが出来る遊技媒体払出し装置を有する遊技用装置０１を各パチンコ機に対応して設け、遊技者の獲得した獲得遊技媒体の一部もしくは全部を、要求に応じて適宜払出し出来るようにしている。
【０００４】
【発明が解決しようとする課題】
しかしながら、上記のような遊技用装置０１にあっては、遊技者が適宜箇所に設けられた払出しボタン（図示略）を操作することにより、払出し装置０２から所定量のパチンコ玉が払出し通路０３に送り出されるようになっているが、例えば上皿に多量のパチンコ玉が滞留しているうちに遊技者により払出し操作がなされた場合、ノズル０４の先端からパチンコ玉が排出されずに払出し通路０３内にパチンコ玉が滞留しいく。
【０００５】
ここで、払出し装置０２が送り出したパチンコ玉数が払出しすべくパチンコ玉数に達していない状態で、図１６のように払出し装置０２内においてパチンコ玉が詰まってしまうと、払出し装置は受信した払出し信号に基づいて全てのパチンコ玉を払出しするまで駆動が停止されず、長時間にわたり負荷がかかることになるため、駆動モータ０５が火災を引き起こす恐れがあるばかりか、装置が破損するといった問題があった。
【０００６】
本発明は、このような問題点に着目してなされたもので、遊技媒体の払出し中において発生した場合にあっても、払出し手段に長時間負荷がかかることがない遊技用装置を提供することを目的とする。
【０００７】
【課題を解決するための手段】
上記課題を解決するために、本発明の遊技用装置は、遊技媒体を使用して遊技を行う遊技機に対応して設けられ、遊技者が遊技により獲得した獲得遊技媒体の大きさを、遊技者からの要求に応じて遊技に再使用可能に遊技者へ払出す遊技用装置であって、
上流側に設けられた供給通路から供給される遊技媒体を、下流側に設けられた払出し通路に払出し出来る駆動モータを用いた遊技媒体払出し手段と、
前記遊技媒体払出し手段による遊技媒体の払出しを遊技者側から実行出来るように設けられる払出し操作手段と、
前記遊技媒体払出し手段より払出される遊技媒体を計数する遊技媒体計数手段と、
前記遊技媒体払出し手段よりも下流側の前記払出し通路所定箇所に設けられ、前記遊技媒体払出し手段より払出される遊技媒体の移動状況を検出する移動検出手段と、
前記払出し操作手段の操作があるか否かを該操作があるまで繰り返し判定する入力待ち処理と、該入力待ち処理により前記払出し操作手段の操作があると判定されたことに基づいて実行される処理であり前記遊技媒体払出し手段により遊技媒体を払出させる払出し処理と、獲得遊技媒体の大きさから前記遊技媒体計数手段により計数された遊技媒体の大きさを減算する減算処理と、を実行する制御手段と、を具備し、
前記制御手段は、前記払出し処理を開始した場合は、所定数の遊技媒体が払出されるまで当該払出し処理を実行し、所定数の遊技媒体が払出されると当該払出し処理を終了して前記入力待ち処理に復帰するとともに、
前記払出し処理の実行中において、前記移動検出手段から出力される検出信号に所定時間変化が生じないと判断した場合、前記払出し処理において前記所定数の遊技媒体が払出されたか否かに関わらず当該払出し処理を終了して前記入力待ち処理に復帰することを特徴としている。
この特徴によれば、駆動モータを用いた遊技媒体払出し手段による遊技媒体の払出し処理の実行中において、払出し通路内に遊技媒体が停滞すると、その時点までに計数された遊技媒体数が払出し操作に応じて払出しすべき所定数の遊技媒体が払い出されたか否かに関わらず、遊技媒体払出し手段による遊技媒体の払出し処理が終了するため、遊技媒体の停滞により遊技媒体払出し手段の駆動モータに長時間負荷がかかかることがないので、装置の破損等が確実に防止される。
【０００８】
本発明の遊技用装置は、前記遊技用装置は、獲得遊技媒体もしくは払出された遊技媒体の大きさを表示可能な表示手段を具備してなることが好ましい。
このようにすれば、遊技者が獲得した獲得遊技媒体の大きさや、払出された遊技媒体の大きさを遊技者が確認することが出来る。
【０００９】
本発明の遊技用装置は、前記所定時間の長さは、前記移動検出手段の位置に前記遊技媒体が停滞した場合、前記遊技媒体払い出し手段による前記遊技媒体の払出しが継続した際に前記遊技媒体が前記遊技媒体払出し手段に達するまでの時間よりも短いことが好ましい。
このようにすれば、遊技媒体が遊技媒体払出し手段に達する前に遊技媒体払出し手段の払出し動作を停止させるため、遊技媒体払出し手段の駆動モータに負荷がかかりにくくなる。
【００１０】
本発明の遊技用装置は、前記遊技媒体計数手段が、前記遊技媒体払出し手段の下流側近傍に設けられていることが好ましい。
このようにすれば、遊技者に払出しされる遊技媒体量を正確に計数できる。
【００１１】
本発明の遊技用装置は、前記遊技媒体払出し手段を構成する駆動モータに、この駆動モータの駆動動作を検出する駆動動作検出手段が設けられており、前記制御手段は、該駆動動作検出手段から出力される検出信号に異常が生じた場合、前記駆動モータの駆動を停止するようになっていることが好ましい。
このようにすれば、駆動モータに何らかの負荷がかかったり、遊技媒体が供給されずに空回りすることがあると駆動モータが確実に停止されるため、駆動モータの破損を効果的に防止できる。
【００１２】
本発明の遊技用装置は、前記払出し通路における所定箇所が、湾曲状に形成されてなることが好ましい。
このようにすれば、距離が長い払出し通路を、小スペース内にコンパクトに設けることが出来る。
【００１３】
【発明の実施の形態】
以下、本発明の実施例を図面に基づいて説明すると、まず図１には本発明の適用された遊技島台１が示されており、この遊技島台１は、前後面（後面は図示せず）に所定の台数（本実施例では４台）のパチンコ機２および該パチンコ機２に対応するＣＲユニット３、払出しユニット２３とがそれぞれ配設され、内部にこれらパチンコ機２を稼動させるのに必要な適宜装置（例えばパチンコ玉の揚送装置等）が全て収容されて１つの独立したユニット構成とされた遊技島台１’が、長手方向に複数連設されることにより形成されている。
【００１４】
この遊技島台１’は、遊技島台１’内下部を覆う腰板７と、該腰板７上に列設される遊技機としてのパチンコ機２、及びパチンコ機２に対応して隣接配置されるＣＲユニット３、払出しユニット２３と、遊技島台１’の前記パチンコ機２の上部を覆う幕板６ａ、ランプ板６ｂと、ランプ板６ｂに個々のパチンコ機２に対応して設けられる呼び出しボタン１７を備えた表示装置８と、から主に構成され、パチンコ機２の下部位置には、各パチンコ機２毎に計数器４が設けられている。幕板６ａ、ランプ板６ｂは前方に開放可能に設けられており、幕板６ａを開放することにより、遊技島台１’内において発生する玉づまりや各電設部等のメンテナンスを外部より行えるようになっている。
【００１５】
計数器４は、上面が開口する箱形の玉受皿３５が、各パチンコ機２の下皿５に設けられた排出口（図示せず）の下方に位置するように固設されており、遊技により獲得されたパチンコ玉を下皿５より玉受皿３５に適宜排出出来るようになっている。玉受皿３５内に貯留されたパチンコ玉は、スライドレバー３４を操作するすることで計数器４により計数された後、遊技島台１’内部の下方に設けられる回収樋部４０（図３参照）に返還されるようになっている。また、各パチンコ機２へのパチンコ玉の供給は補給シュート３０より、また、後述する払出しユニット２３へのパチンコ玉の供給は補給シュート２９より供給されるようになっている。
【００１６】
計数器４の前面には、遊技者が遊技により獲得し、貯留したパチンコ玉を、後述する払出しユニット２３より所望量のパチンコ玉を払出しさせるための払出ボタン３３が設けられており、遊技者は一度計数したパチンコ玉を払出ボタン３３を操作することで再度使用することができるようになっている。
【００１７】
図１〜図３に示されるように、ランプ板６ｂとパチンコ機２との間には、計数器４により計数される獲得玉数の合計や遊技終了時や離席時における処理状況および案内情報およびパチンコ機の遊技情報等が表示可能とされたＬＥＤ表示装置３８が設けられている。ＬＥＤ表示装置３８の他方側における２機のパチンコ機２の中間位置には、記録媒体である磁気カードへの情報の記録および読み出しが可能な磁気カードリーダライタ３９が設けられ、そのカード挿入発行口３７が露出するように配置されているとともに、ＬＥＤ表示装置３８の隣には、ＬＥＤ表示装置３８に表示された獲得玉全数を、カードリーダライタ３９により磁気カードに書き込んで発行させる全数精算ボタン１９と、景品化出来ない端玉を除く獲得玉数を書き込んで発行させる端玉精算ボタン２０と、遊技者が離席する際に離席情報が書き込まれた磁気カードを発行させる離席ボタン２１と、適宜データを表示させるデータボタン２２とから成る操作ボタンがそれぞれ設けられており、これら各部が同一の電設パネル１８に設けられている。
【００１８】
なお、この電設パネル１８の配置位置は、対応するパチンコ機２との対応関係を判りやすくなることから、上記したようにパチンコ機２の隣接する直上位置であるパチンコ機２の周囲位置に設けることが好ましいが、本発明はこれに限定されるものではない。
【００１９】
遊技島台１’の下部位置には、図３に示されるように、回収樋部４０に連接されて、揚送モータ２５によりパチンコ玉を揚送樋２７を通じて上方の供給樋３６に揚送する揚送装置２６が設けられ、供給樋３６に至る経路中には、パチンコ玉の研磨を行う研磨装置４１が設けられている。
【００２０】
ＣＲユニット３は、図１、図２に示すようような外観を有しており、その前面には、パチンコ玉の貸し出しが可能であることを遊技客に知らせる作動ランプ１１と、遊技者が遊技を行う際に用いられる適宜金額データが記録されたプリペイドカードを挿入可能とするプリペイドカード挿入口１２が設けられている。
【００２１】
払出しユニット２３は、図１、図２に示すようような外観を有しており、前面には、遊技者が獲得した獲得玉の払出しが可能であることを遊技客に知らせる作動ランプ１３が設けられているとともに、内部に設けられるユニットボックス１４の前面に左右方向及び上下方向に回動自在に軸支されたノズル１５が、先端がパチンコ機２の上皿１６に延びるように設けられている。
【００２２】
ユニットボックス１４は、図４に示されるように払出しユニット２３内における上下方向略中央位置に板材により前方に開口する凹状に形成された取付部２３ａ内に、前方から差込み自在な一側面が開放する箱体状に構成されており、この側板５０の上部には、払出ボタン３３のボタン操作がなされた場合に、予め設定された所定数のパチンコ玉を遊技者に対して払い出す払出し装置５１が配設されている。
【００２３】
側板５０における払出し装置５１の下方には、払出し装置５１の下部に設けられる排出口５２と、ノズル１５の基端部とを連通する払出し通路５３が配設されているとともに、上方には、払出し装置５１の上部に設けられる供給口５４と、遊技島台１’内の供給樋３６に取り付けられた補給シュート２９とを連通する供給通路５５が配設されている。
【００２４】
取付部２３ａの上部には、この上板に形成された連通孔６７に補給シュート２９の下端開口が連通されるように、補給シュート２９の下部を保持可能な保持部材６８が設けられているとともに、供給通路５５の上端開口は、ユニットボックス１４の上板に形成された連通孔６６に連設されており、ユニットボックス１４の取付部２３ａへの取付け時において、これら連通孔６６と連通孔６７とが連通するようになっている。
【００２５】
図５、図６に示されるように、払出し装置５１を構成するボックス５１ａ内には、ボックス５１ａ内を上下方向に貫通する玉通路５６と、補給シュート２９から供給口５４を介して連続的に供給されるパチンコ玉を所定量ずつ払出し通路５３へ送り出す駆動モータ５７とが、仕切板５８を介してそれぞれ左右側に内設されている。この駆動モータ５７は、先端にスプロケット５９が固着された回転軸６０が玉通路５６内を横切るように設けられており、玉通路５６内に進入したパチンコ玉は、スプロケット５９が停止されている時には排出口５２への流下が規制され、また、スプロケット５９の回転に伴い排出口５２に１個ずつ排出されるようになっている。
【００２６】
この駆動モータ５７は、後述するようにコントロールユニット４２に接続されており、払出ボタン３３のボタン操作により駆動を開始するようになっているとともに、磁気センサ６１により所定数のパチンコ玉の通過が検出された時点で、コントロールユニット４２により回転軸６０の駆動が停止されるように制御されている。すなわち、１回の払出しボタン３３の押圧操作により、スプロケット５９が回転してパチンコ玉が１個ずつ払出し通路５３に送り出され、最終的に所定数のパチンコ玉が上皿１６に払い出されることになる。また、この回転軸６０は、磁気センサ６１により検出されたパチンコ玉数が予め設定された払出し予定数に達する直前（例えば払出し予定数が１２５発である場合、磁気センサ６１により１２４発のパチンコ玉の通過が検出された時点）で低速回転するように制御されているため、確実に所定数のパチンコ玉を払い出し出来るようになっている。
【００２７】
また、玉通路５６内には供給口５４より内部に進入するパチンコ玉を受ける玉受部６４が、その上面がスプロケット５９の歯底よりもやや上方に位置するように設けられており、略鉛直下方に向けて連続的に供給されるパチンコ玉の荷重がスプロケット５９に直接加わらないようになっている。
【００２８】
玉通路５６内におけるスプロケット５９の下方位置には、スプロケット５９の回転により送り出されたパチンコ玉を検出可能な磁気センサ６１が設けられている。この磁気センサ６１は、スプロケット５９の回転により送り出されるパチンコ玉、すなわち遊技者に対して払出しされるパチンコ玉数を計数する計数手段として機能するように制御されている。
【００２９】
図４に戻って、払出し通路５３は、上流から下流に向けて略くの字状に湾曲するように形成されており、この下流側所定箇所には、払出し通路５３内のパチンコ玉を検出可能な磁気センサ６２が設けられている。この磁気センサ６２は、後述するようにコントロールボックス６３及びコネクタ６５を介してコントロールユニット４２に接続されており、払出し通路５３内におけるパチンコ玉の移動状況、すなわち払出し通路５３内においてパチンコ玉が正常に流下しているか否かを検出する移動検出手段として機能するように制御されている。よって、この磁気センサ６２によりパチンコ玉が停滞していることが検出された場合、コントロールユニット４２は払出ボタン３３の操作によりなされる払出し動作が完了する前であっても、駆動モータ５７を停止するようになっている。
【００３０】
また、６５は外部の各種装置に接続する外部コネクタと接続するためのコネクタであり、このコネクタ６５には、駆動モータ５７が接続されているとともに、磁気センサ６１、６２が側板５０内下部に配設されるコントロールボックス６３を介して接続されている。
【００３１】
次に、本実施例における遊技島１の構成を図７に示すブロック図に基づいて説明すると、各遊技島台１’には、遊技島台１’を構成する各部との信号やデータのやり取りを行う入出力部や、各部の状況データ等を記憶するためのメモリや後述する管理コンピュータ４７との通信を行う通信部や、所定の制御プログラムを実行して制御動作を行うＣＰＵ（中央演算処理装置）等を内在して遊技島台１’の動作制御を実施するコントロールユニット４２等が設けられており、各部の制御および稼働状況（エラー等）がコントロールユニット４２により管理されている。
【００３２】
コントロールユニット４２は、遊技島台１に設置される各パチンコ機２に搭載されている遊技用マイコン（図示略）とインターフェイスを介して接続されて、各パチンコ機２における遊技情報（始動、特賞、確変）が出力されるようになっており、これら各パチンコ機２における遊技情報が、各パチンコ機２の台番号とともに、コントロールユニット４２と通信ケーブル４６を介して接続される管理コンピュータ４７に出力されて逐次更新登録されるようになっている。
【００３３】
更に、本実施例の遊技島台１’には、パチンコ機２に供給される補給玉数の計数を行う補給玉計数機と、前記パチンコ機２より排出されるアウト玉の計数を行うアウト玉計数機とが、前記パチンコ機２の上方および下方の所定位置に設けられており、これら各計数機が前記コントロールユニット４２に接続されてこれら各計数機による計数情報（補給玉数、打込玉数）が前記コントロールユニット４２より前記管理コンピュータ４７に送信されて、該補給玉数と打込玉数とより算出される差玉数とともに逐次更新登録されるようになっている。
【００３４】
全数精算ボタン１９、端玉精算ボタン２０、離席ボタン２１、データボタン２２から成る操作ボタンは、操作部基板４４上に実装され、これら各操作ボタンが操作部基板４４を介してコントロールユニット４２に接続されている。
【００３５】
計数器４により計数された獲得玉数データ、および払出ボタン３３の操作により払出しユニット２３を介して払い出される払出し玉数データは、コントロールユニット４２により適宜加算または減算されて逐次該コントロールユニット４２に接続されているＬＥＤ表示装置３８に表示されるようになっている。
【００３６】
ＬＥＤ表示装置３８は、特に詳細な図示はないが、発行素子であるＬＥＤ素子がマトリックス状に配列されて適宜なＬＥＤ素子を点灯することにより文字表示が可能とされており、コントロールユニット４２よりの表示出力に基づき、ＬＥＤ素子４８の点灯制御を行う表示ドライバ４３を介してコントロールユニット４２に接続されている。
【００３７】
払出しユニット２３の払出し装置５１における磁気センサ６１及び駆動モータ５７と、払出し通路５３に設けられる磁気センサ６２と、獲得玉からのパチンコ玉の払出しが可能であることを遊技客に知らせる作動ランプ１３とは、それぞれケーブルを介してコントロールユニット４２に接続されている。
【００３８】
また、ＣＲユニット３におけるパチンコ玉の貸し出しが可能であることを遊技客に知らせる作動ランプ１１と、プリペイドカードから金額データを読み出すプリペイドカードリーダ１０とは、それぞれケーブルを介してコントロールユニット４２に接続されている。
【００３９】
以下、本実施例の遊技島台１’における遊技状況を説明すると、まず遊技者が遊技を行う場合、遊技者はプリペイドカードをプリペイドカード挿入口１２より投入し、カードリーダライタ１０によりプリペイドカードから読み出されて適宜表示装置により表示される金額データから、パチンコ機２等に適宜設けられた玉貸ボタン（図示略）を操作することで所望の数のパチンコ玉を借り受け、遊技を開始する。
【００４０】
遊技中、大当り等の発生により払い出されたパチンコ玉は一時的に玉計数器４の玉受皿３５等に貯留でき、さらに多くの払出があれば、玉受皿３５内のパチンコ玉をスライドレバー３４を操作して計数器４に投入することにより、一時的に遊技島台１’内に返却できるようになっている。この時、計数器４内の計数センサ（図示略）により計数されて払出しされたパチンコ玉数は、コントロールユニット４２に出力されて、図２に示すようにＬＥＤ表示装置３８に獲得玉として表示されることになる。
【００４１】
ここで、遊技中にパチンコ玉がなくなっても、遊技者はこれまでに計数機４を介して一度払出しすることにより獲得した獲得玉がある場合、払出ボタン３３を操作すれば、払出しユニット２３から所定量のパチンコ玉がパチンコ機２の上皿１６に払い出されるようになっている。すなわち、遊技者はＬＥＤ表示装置３８に表示されている数値分から所定数のパチンコ玉を適宜引き出して再遊技することが出来る。
【００４２】
このような遊技者からの再遊技要求により、表示された獲得玉数から所定量のパチンコ玉を払い出す場合における各種装置の制御方法を、図８、図９のフローチャートに基づいて説明する。
【００４３】
まず通常時における払出し処理制御行程を図８に基づいて説明すると、コントロールユニット４２は、遊技者による払出ボタン３３の押圧操作があるか否かを判別し（Ｓ１）、操作がなされた時は、払出しユニット４５の払出し装置５１の駆動モータ５７を駆動させる（Ｓ２）。
【００４４】
コントロールユニット４２は、磁気センサ６１からパチンコ玉の検出信号が出力されると（Ｓ３）、この検出信号に基づいて、検出されたパチンコ玉数を計数するとともに、ＬＥＤ表示装置３８に表示されている獲得玉数から、上記のように磁気センサ６１により検出されて計数されたパチンコ玉数を減算処理するとともに（Ｓ４）、更新された獲得玉数をＬＥＤ表示装置３８に表示するようになっている（Ｓ５）。なお、このように更新された獲得玉数の表示は、磁気センサ６１によりパチンコ玉が検出される度に逐次表示更新がなされなくてもよく、例えば減算処理が開始されてから所定時間（例えば５秒）毎に表示更新がなされるようにしてもよい。
【００４５】
さらに磁気センサ６１からのパチンコ玉の検出信号に基づいて計数されたパチンコ玉数が、コントロールユニット４２内のメモリに予め記憶された所定玉数（例えば５００円分に相当する１２５玉）に達したか否かを判別し（Ｓ６）、所定数に達した場合は駆動モータ５７の駆動を停止させ、払出しを完了させる。
【００４６】
これら一連の動作により、遊技者に対して所定数のパチンコ玉が払い出されるとともに、獲得玉数から、払い出されたパチンコ玉数分の減算処理及び表示がなされることになる。
【００４７】
次に、上記のような払出し動作中において、払出し通路５３内において玉詰まりが発生した場合における各種装置の制御処理行程を、図９のフローチャートに基づいて説明する。
【００４８】
コントロールユニット４２は、駆動モータ５７が駆動されたかどうかを判別し（Ｓ１）、駆動モータ５７が駆動された時点で、磁気センサ６２からのパルス信号の検出を開始し、ＨＩ状態のパルス信号及びＬＯＷ状態のそれぞれのパルス信号が、所定時間（例えば３秒間）内のうちに切り替わるか否かを判別する（Ｓ２）。そしてＨＩ、ＬＯＷそれぞれのパルス信号が所定時間内に交互に切り替われば、パチンコ玉が払出し通路５３内を正常に流下していると判別されて検出を繰り返し、ＨＩ状態（もしくはＬＯＷ状態）のパルス信号を所定時間以上連続して検出する場合、パチンコ玉の移動がない、すなわち払出し通路５３内において玉詰まりが発生したと判別し、駆動モータ５７が駆動されているか否かを判別し（Ｓ３）、駆動中であれば駆動モータ５７の駆動を停止する。
【００４９】
このように獲得玉数からのパチンコ玉の払出し、すなわち駆動モータ５７の駆動動作中において、例えば払出し先である上皿１６内でパチンコ玉がいっぱいになり、従来例で示したように払出し通路５３内において玉詰まりが発生した場合、パチンコ玉の払出し通路５３内における磁気センサ６２近傍においてパチンコ玉が滞留して移動がなくなる。すなわち、所定時間内に磁気センサ６２から出力されるパルス信号に上記したような変化が生じなくなるため、コントロールユニット４２はこれを玉詰まりが発生したと判断して駆動モータ５７の駆動を停止させる。よって、払出し装置５１内まで貯留されたパチンコ玉によりスプロケット５９の回転が規制され、駆動モータ５７に長時間負荷がかかること等がないので、装置の破損や火災等が防止される。
【００５０】
また、本実施例においては、磁気センサ６２は払出し通路５３における下流側、すなわちノズル１５寄りに設けられているため、玉詰まりを早期に検出できる。
【００５１】
また、払出し装置５１から所定距離離間された下流側所定箇所に設けられていることになるため、磁気センサ６２による検出信号に基づいてコントロールユニット４２が駆動モータ５７を停止させるまでの間にパチンコ玉がさらに上流側に向けて貯留されても、払出し装置５１まで到達することがなくなる。なお、このような玉詰まりが検出された時点から駆動モータ５７の駆動停止までに貯留されるパチンコ玉数を予め計算しておき、払出し装置５１から磁気センサ６２までの距離をこのパチンコ玉数を許容可能とする距離に設定すれば、駆動モータ５７までの玉詰まりの発生を確実に防止できる。
【００５２】
また、本実施例では、１回の払出しボタン３３の操作につき、遊技者に対して前述のように例えば１２５発のパチンコ玉が払出されるように設定されていても、前述のように玉詰まりにより駆動モータ５７の駆動が１２５発の払出しの前に停止されてしまえば、そこでパチンコ玉の払出しは完了することになっているため、遊技者がさらにパチンコ玉の払出しを要求し、再度払出しボタン３３が操作されると、コントロールユニット４２は再度図８及び図９のフローチャートに基づいて説明した処理を実行することになる。
【００５３】
なお、獲得玉数からの減算処理は、駆動モータ５７の駆動、及び停止に関わらず、磁気センサ６１からのパチンコ玉の検出があれば逐次行われるため、言うまでもなく、玉詰まりにより駆動モータ５７の駆動が１２５発の払出しが完了する前に停止されても、実際に払い出されたパチンコ玉数のみが獲得玉数から確実に減算されることになる。
【００５４】
そして、本実施例においてはこの磁気センサ６１がスプロケット５９の下方に近接して設けられているため、実際に遊技者に払い出されるパチンコ玉を正確に計数することが出来るばかりか、玉詰まり発生から駆動モータ５７が停止されるまでの間に、払出ボタン３３の１回の操作により払い出されるべく所定パチンコ玉数（本実施例においては１２５発）よりも多くのパチンコ玉が払い出されることがない。
【００５５】
次に、図１０〜図１５には、本発明の第２実施例が示されている。本実施例における遊技島台１は、遊技者に対して払い出された賞球を計数して遊技島台１内に払出しする計数器４や、この計数器４により計数されたパチンコ玉数を表示させる表示装置３８等がなく、いわゆる一般の遊技島台として構成されている。なお、本実施例においては、各パチンコ機２毎に対応して台中継端末（ＤＭＣ）が設けられており、第１実施例において説明したような遊技情報、アウト玉情報、補給玉情報、ＣＲユニット情報、及び後述する再プレイユニット情報が、この台中継端末を介して管理コンピュータ４７に送信されるようになっている。
【００５６】
そして本実施例においては、遊技者が遊技を行う場合、前述の第１実施例と同様にプリペイドカードをプリペイドカード挿入口１２に挿入し、適宜玉貸ボタン（図示略）を操作することでこのプリペイドカードから読み出される金額データから所望の数のパチンコ玉を借り受け、遊技を開始出来るようになっているとともに、遊技を行うことで獲得した獲得玉数を、例えば会員カード等の磁気カードに適宜外部の記録装置により記録し、貯蓄しておくことで、この磁気カードに記録された獲得玉数データから再プレイユニット９９を介してパチンコ玉を引き出し、再度遊技に使用出来るようになっている。
【００５７】
以下、前述の第１実施例と相違する構成部分を説明する。なお、その他前述の第１実施例と同様の構成部分は、同様の符号を付すことにより、ここでの詳細な説明は省略することとする。
【００５８】
再プレイユニット９９は、図１２〜図１５に示されるように、前面に磁気カードを挿入可能なカード挿入口９４と、このカード挿入口９４に挿入される磁気カードに記録された獲得玉数を表示させる表示装置７１と、遊技者がこの表示装置７１に表示された獲得玉数データから、表面に記載された玉数分を引き出す際に操作する払出しボタン３３ａ〜３３ｅと、カード挿入口９４に挿入された磁気カードを排出するための払出しボタン９８とが設けられている。なお、図１１に示されるように、本実施例における払出し操作手段は、複数の払出しボタン３３ａ〜３３ｅにより構成されており、それぞれのボタンを選択的に押圧操作することにより、各ボタン表面に記載されている数量のパチンコ玉が払出されるようになっているので、遊技者は所望する数量のパチンコ玉を選択して引出すことが出来る。
【００５９】
本実施例における払出し装置８０は図１２〜図１４に示されるように構成されており、これを構成するボックス８０ａ内には、略逆くの字状の玉通路８１と、補給シュート２９から上部の供給口８２を介して連続的に供給されるパチンコ玉を所定量ずつ払出し通路５３へ送り出す駆動モータ８３とがそれぞれ左右側に内設されている。この駆動モータ８３の出力軸８３ａの先端には、玉通路８１における水平通路部８１ａに沿うように、軸心周りに回転自在に枢支されるスクリュー軸８４の端部に形成された歯部８５に噛合する歯車８６が固着されており、出力軸８３ａの回転によりスクリュー軸８４が連動するようになっている。
【００６０】
そしてスクリュー軸８４の外周には、突条８７が螺旋状に設けられているため、玉通路５６内に進入したパチンコ玉は、スクリュー軸８４の回転が停止されている時には水平通路部８１ａにおいて排出口５２への流下が規制され、また、スクリュー軸８４の回転に伴い排出口８８に１個ずつ送り出されるようになっている。
【００６１】
また、玉通路８１内におけるスクリュー軸８４の下方位置には、スクリュー軸８４の回転により送り出されたパチンコ玉を検出可能な磁気センサ６１が設けられている。この磁気センサ６１は、スクリュー軸８４の回転により送り出されるパチンコ玉、すなわち遊技者に対して払出しされるパチンコ玉数を計数する計数手段として機能するように制御されている。
【００６２】
さらにスクリュー軸８４における図中右側端部には、一部が切り欠かれた略円盤状の遮蔽盤９０が、スクリュー軸８４の回転に伴い回転するように固着されており、この遮蔽盤９０により、下方に設けられた上向きコ字状のセンサ８９における投光器８９ａ及び受光器８９ｂの間が選択的に遮蔽されるようになっている。
【００６３】
本実施例における遊技島１は、図１５のブロック図に示されるように構成されており、再プレイユニット９９内には、コントロールユニット４２に通信ユニット９２を介して接続されるコントロールユニット９１（図１２参照）が設けられており、このコントロールユニット９１には、駆動モータ８３、磁気センサ６１、６２、センサ８９、作動ランプ１３、払出しボタン３３ａ〜３３ｅ、カード挿入口９４より挿入される磁気カードに記録された獲得玉数を読み出し可能なカードリーダ９３、差し込まれた磁気カードを払出しするための払出しボタン９８、また、このカードリーダ９３により読み取られた獲得玉数を表示可能な表示装置７１が表示ドライバ９６を介してそれぞれ接続されている。
【００６４】
また、コントロールユニット９１に接続された駆動モータ８３は、前述の第１実施例と同様に、磁気センサ６１が予め設定された所定数パチンコ玉の通過を検出した時点、もしくは、後述する磁気センサ６２により払出し通路５３内における玉詰まりが発生した時点で、スクリュー軸８４の駆動が停止されるように制御されている。すなわち、通常時においては、１回の払出しボタン３３ａ〜３３ｅの押圧操作により、スクリュー軸８４によりパチンコ玉が１個ずつ払出し通路５３に送り出され、最終的に予め設定された所定数のパチンコ玉が上皿１６に払い出され、また、払出し動作中において、払出し通路５３内で玉が停滞した場合は、所定数のパチンコ玉の払い出しが完了される前であっても、駆動モータ８３の駆動が停止されるようになっている。
【００６５】
また、スクリュー軸８４の回転に伴って遮蔽盤９０が回転して投光器８９ａから受光器８９ｂに向けて投光される光が選択的に妨げられることにより、センサ８９に接続されるコントロールユニット９１（図１５参照）にパルス信号が出力されるようになっており、コントロールユニット９１は、このパルス信号によりスクリュー軸８４が正常に回転されているか否かを判別し、正常に回転されていないと判断した場合、磁気センサ６１、６２の制御に関わらず、駆動モータ８３の駆動を停止するようになっている。
【００６６】
このように構成される本実施例における遊技島台１において遊技者が遊技を行う場合、プリペイドカードをプリペイドカード挿入口１２に挿入し、遊技機２に適宜設けられた操作手段を操作することでパチンコ玉が払い出され、遊技を行うことが可能となる。そして遊技者に対して賞球が払い出された場合は、これを適宜玉箱（図示略）等に貯留し、景品カウンタ等に設置される計数器により計数出来るようになっており、さらにこの時遊技者はこの賞球を獲得玉数として会員カード等に記録しておくことが出来る。
【００６７】
ここで、遊技者が会員カード等に記録した獲得玉数データから、所定数のパチンコ玉を引き出して再遊技を行いたい場合、遊技者は会員カードを再プレイユニット９９のカード挿入口９４に挿入すれば、カードリーダ９３により会員カードに記録された獲得玉数データが読み出されて表示装置７１に表示されるので、これを見ていずれかの払出しボタン３３ａ〜３３ｅを押圧するとボタン表面に記載された数量のパチンコ玉が払出し装置８０より上皿１６に払い出されて再遊技が可能となる。
【００６８】
なお、このように遊技者が保有する獲得玉数データは、管理コンピュータ４７により一括して管理することも可能であり、この場合、各磁気カードには識別データのみを付与しておき、各遊技者の獲得玉数データ等は管理コンピュータ４７側において識別データに対応して管理する。そして、上記のような計数器もしくは再プレイユニット９９に磁気カードが挿入される度に、その磁気カードの識別データを逐次管理コンピュータ４７に出力させ、管理コンピュータ４７においてその識別データに対応する獲得玉数データの抽出を可能としておき、例えば獲得玉数の貯蓄や払出しが行われた場合には、管理コンピュータ４７が抽出された獲得玉数データからの加算、減算処理を逐次行うようにしておけばよい。
【００６９】
このように本実施例における再プレイユニット９９にあっては、このような払出し動作中において、磁気センサ６２により払出し通路５３内で玉が停滞していることが検出されると、その時点までに計数されたパチンコ玉数が予め設定された払出し予定玉数に達していなくても、駆動モータ８３の駆動が停止され、駆動モータ８３に長時間負荷がかかることはないので、装置の破損や火災等が防止される。
【００７０】
また、本実施例における払出し装置８０にあっては、スクリュー軸８４の回転駆動がセンサ８９により別途制御されているため、払出し装置８０内に供給されるパチンコ玉によるスクリュー軸８４の玉詰まり等を防止出来ることになる。
【００７１】
さらに、特に図示しないが、払出し通路５３を側板５０内を蛇行するように形成すれば、ノズル１５の下流側から払出し装置８０までの払出し通路５３の距離が長くなるため、パチンコ玉の停滞を検出する時間を長く設定しても、払出し装置が頻繁に玉詰まることがないので、装置の駆動を頻繁に停止することなく、玉詰まりを確実に検出出来る。
【００７２】
前記各実施例における各要素は、本発明に対して以下のように対応している。
【００７３】
本発明の請求項１は、遊技媒体（パチンコ玉）を使用して遊技を行う遊技機（パチンコ機）に対応して設けられ、遊技者が遊技により獲得した獲得遊技媒体の大きさを、遊技者からの要求に応じて遊技に再使用可能に遊技者へ払出しする遊技用装置（払出しユニット２３）であって、上流側に設けられた供給通路（５５）から供給される遊技媒体（パチンコ玉）を、下流側に設けられた払出し通路（５３）に払出し出来る駆動モータ（駆動モータ５７、８３）を用いた遊技媒体払出し手段（払出し装置５１、８０）と、前記遊技媒体払出し手段（払出し装置５１、８０）による遊技媒体（パチンコ玉）の払出しを遊技者側から実行出来るように設けられる払出し操作手段（払出ボタン３３、３３ａ〜３３ｅ）と、前記遊技媒体払出し手段（払出し装置５１、８０）より払出される遊技媒体（パチンコ玉）を計数する遊技媒体計数手段（磁気センサ６１）と、前記遊技媒体払出し手段（払出し装置５１、８０）よりも下流側の前記払出し通路（５３）所定箇所に設けられ、前記遊技媒体払出し手段（払出し装置５１、８０）より払出される遊技媒体（パチンコ玉）の移動状況を検出する移動検出手段（磁気センサ６２）と、前記払出し操作手段（払出ボタン３３、３３ａ〜３３ｅ）の操作があるか否かを該操作があるまで繰り返し判定する入力待ち処理と、該入力待ち処理により前記払出し操作手段（払出ボタン３３、３３ａ〜３３ｅ）の操作があると判定されたことに基づいて実行される処理であり前記遊技媒体払出し手段（払出し装置５１、８０）により遊技媒体（パチンコ玉）を払出させる払出し処理と、獲得遊技媒体の大きさから前記遊技媒体計数手段（磁気センサ６１）により計数された遊技媒体（パチンコ玉）の大きさを減算する減算処理と、を実行する制御手段（コントロールユニット４２、９１）と、を具備し、前記制御手段（コントロールユニット４２、９１）は、前記払出し処理を開始した場合は、所定数の遊技媒体（パチンコ玉）が払出されるまで当該払出し処理を実行し、所定数の遊技媒体（パチンコ玉）が払出されると当該払出し処理を終了して前記入力待ち処理に復帰するとともに、前記払出し処理の実行中において、前記移動検出手段（磁気センサ６２）から出力される検出信号に所定時間変化が生じないと判断した場合、前記払出し処理において前記所定数の遊技媒体（パチンコ玉）が払出されたか否かに関わらず当該払出し処理を終了して前記入力待ち処理に復帰することになっている。
【００７４】
本発明の請求項２は、前記遊技用装置（払出しユニット２３）は、獲得遊技媒体もしくは払出された遊技媒体（パチンコ玉）の大きさを表示可能な表示手段（ＬＥＤ表示装置３８、７１）を具備してなる。
【００７５】
本発明の請求項３は、前記所定時間の長さは、前記移動検出手段の位置に前記遊技媒体が停滞した場合、前記遊技媒体払い出し手段による前記遊技媒体（パチンコ玉）の払出しが継続した際に前記遊技媒体が前記遊技媒体払出し手段に達するまでの時間よりも短い。
【００７６】
本発明の請求項４は、前記遊技媒体計数手段（磁気センサ６１）が、前記遊技媒体払出し手段（払出し装置５１、８０）の下流側近傍に設けられている。
【００７７】
本発明の請求項５は、前記遊技媒体払出し手段（払出し装置５１、８０）を構成する駆動モータ（駆動モータ８３）に、この駆動モータ（駆動モータ８３）の駆動動作を検出する駆動動作検出手段（センサ８９）が設けられており、前記制御手段（コントロールユニット９９）は、該駆動動作検出手段（センサ８９）から出力される検出信号に異常が生じた場合、前記駆動モータ（駆動モータ８３）の駆動を停止するようになっている。
【００７８】
本発明の請求項６は、前記払出し通路（５３）における所定箇所が、湾曲状に形成されてなる。
【００７９】
以上、本発明の実施例を図面により説明してきたが、具体的な構成はこれら実施例に限られるものではなく、本発明の要旨を逸脱しない範囲における変更や追加があっても本発明に含まれる。
【００８０】
例えば、上記実施例中における払出し装置５１、８０におけるパチンコ玉の払出し機構として、スプロケット５９、スクリュー軸８４を有する駆動モータ５７、８３が用いられていたが、これら払出し機構として、パチンコ玉の流下を選択的に規制すべく、玉通路内に出退自在に設けられる出退軸を有する電磁ソレノイドを用いてもよく、特にこの払出し機構の形状等は問われるものではない。また、上記実施例においては、払出し手段として、パチンコ遊技を行う際において使用するパチンコ玉を払い出すための払出し装置が用いられているが、本発明の払出し手段は、コイン等を使用するスロット遊技において適用されるコイン払出し装置等も含む。
【００８１】
また、計数手段としての磁気センサ６１及び移動検出手段としての磁気センサ６２の取付位置、取付け数等は任意であり、種々に変更可能である。
【００８２】
さらに、本実施例における遊技用装置からのパチンコ玉の払出しの実行が、現金の投入により行われるようにしてもよい。
【００８３】
【発明の効果】
本発明は以下の効果を奏する。
【００８４】
（ａ）請求項１項の発明によれば、駆動モータを用いた遊技媒体払出し手段による遊技媒体の払出し処理の実行中において、払出し通路内に遊技媒体が停滞すると、その時点までに計数された遊技媒体数が払出し操作に応じて払出しすべき所定数の遊技媒体が払い出されたか否かに関わらず、遊技媒体払出し手段による遊技媒体の払出し処理が終了するため、遊技媒体の停滞により遊技媒体払出し手段の駆動モータに長時間負荷がかかかることがないので、装置の破損等が確実に防止される。
【００８５】
（ｂ）請求項２項の発明によれば、遊技者が獲得した獲得遊技媒体の大きさや、払出しされた遊技媒体の大きさを遊技者が確認することが出来る。
【００８６】
（ｃ）請求項３項の発明によれば、遊技媒体が遊技媒体払出し手段に達する前に遊技媒体払出し手段の払出し動作を停止させるため、遊技媒体払出し手段の駆動モータに負荷がかかりにくくなる。
【００８７】
（ｄ）請求項４項の発明によれば、遊技者に払出しされる遊技媒体量を正確に計数できる。
【００８８】
（ｅ）請求項５項の発明によれば、駆動モータに何らかの負荷がかかったり、遊技媒体が供給されずに空回りすることがあると駆動モータが確実に停止されるため、駆動モータの破損を効果的に防止できる。
【００８９】
（ｆ）請求項６項の発明によれば、距離が長い払出し通路を、小スペース内にコンパクトに設けることが出来る。
【図面の簡単な説明】
【図１】本発明の適用された遊技島台を示す斜視図である。
【図２】図１の遊技島台要部拡大正面図である。
【図３】図１の遊技島台の内部構造を示す斜視図である。
【図４】払出し装置を示す断面図である。
【図５】図４の要部断面図である。
【図６】図５のＡ−Ａ断面図である。
【図７】図１の遊技島台の構成を示すブロック図である。
【図８】払出し動作時における制御処理行程を示すフローチャート図である。
【図９】同じく払出し動作時における制御処理行程を示すフローチャート図である。
【図１０】本発明の第２実施例としての遊技島台を示す斜視図である。
【図１１】図１０の遊技島台要部拡大正面図である。
【図１２】図１０の遊技島台に適用された払出し装置を示す断面図である。
【図１３】図１２の要部断面図である。
【図１４】図１３のＢ−Ｂ断面図である。
【図１５】図１０の遊技島台の構成を示すブロック図である。
【図１６】従来の払出し装置を示す断面図である。
【符号の説明】
１            遊技島台
２            パチンコ機
３            ＣＲユニット
４            計数器
５            下皿
６ａ          幕板
６ｂ          ランプ板
７            腰板
８            表示装置
１０          プリペイドカードリーダ
１１          作動ランプ
１２          プリペイドカード挿入口
１３          作動ランプ
１４          ユニットボックス
１５          ノズル
１６          上皿
１７          ボタン
１８          電設パネル
１９          全数精算ボタン
２０          端玉精算ボタン
２１          離席ボタン
２２          データボタン
２３          払出しユニット
２３ａ        取付部
２５          揚送モータ
２６          揚送装置
２７          揚送樋
２９          補給シュート
３３          払出ボタン
３３ａ〜３３ｅ払出ボタン
３４          スライドレバー
３５          玉受皿
３６          供給樋
３７          カード挿入発行口
３８          ＬＥＤ表示装置
３９          カードリダライタ
４０          回収樋部
４１          研磨装置
４２          コントロールユニット
４３          表示ドライバ
４４          操作部基板
４５          払出しユニット
４６          通信ケーブル
４７          管理コンピュータ
５０          側板
５１          払出し装置
５１ａ        ボックス
５２          排出口
５３          払出し通路
５４          供給口
５５          供給通路
５６          玉通路
５７、８０    駆動モータ
５８          仕切板
５９          スプロケット
６０          回転軸
６１          磁気センサ
６２          磁気センサ
６３          コントロールボックス
６４          玉受部
６５          コネクタ
６６、６７    連通孔
６８          保持部材
７１          表示装置
８０          払出し装置
８０ａ        ボックス
８１          玉通路
８１ａ        水平通路部
８２          供給口
８３          駆動モータ
８３ａ        出力軸
８４          スクリュー軸
８５、８６    歯部
８７          突条
８８          排出口
８９          センサ
８９ａ        投光器
８９ｂ        受光器
９０          遮蔽盤
９１          コントロールユニット
９２          通信ユニット
９３          カードリーダ
９４          カード挿入口
９６          表示ドライバ
９８          払出しボタン
９９          再プレイユニット
【図１】
0004390320.tif 000002
【図２】
0004390320.tif 000003
【図３】
0004390320.tif 000004
【図４】
0004390320.tif 000005
【図５】
0004390320.tif 000006
【図６】
0004390320.tif 000007
【図７】
0004390320.tif 000008
【図８】
0004390320.tif 000009
【図９】
0004390320.tif 000010
【図１０】
0004390320.tif 000011
【図１１】
0004390320.tif 000012
【図１２】
0004390320.tif 000013
【図１３】
0004390320.tif 000014
【図１４】
0004390320.tif 000015
【図１５】
0004390320.tif 000016
【図１６】
0004390320.tif 000017